(57)【特許請求の範囲】
【請求項１】
開口より手を挿入可能な空間を有する筒体状に形成され、内部でゴム手袋を負圧によって拡径させる筺体部と、
この筺体部の前記開口と一体あるいは気密的に連通する筒体状に形成され、開口幅の狭い縮径状態と開口幅の広い拡径状態とに変化する開口幅調整機構とを備え、
前記開口幅調整機構は、第１壁材と第２壁材とによって筒体状に形成されており、これらの第１壁材と第２壁材の相対位置を変化可能であり、
前記筺体部の開口に一体あるいは気密的に連通して拡径状態の筒形状を形成する基部を備え、前記第１壁材は同基部と一体的に形成され、前記第２壁材は同基部に対してスライド可能に装着され、
前記第２壁材を、拡径状態の位置から縮径状態へ戻ることを禁止させる第１の係止機構と、
前記第２壁材を、拡径状態の位置に至る過程で前記基部の縁部から浮いて離れないように同基部の縁部に対してスライド可能に係止させる第２係止機構と、
を備えることを特徴とする挿入開口幅調整機構。
【請求項２】
前記第１壁材と第２壁材は、互いに重なり合って壁面を形成し、摺動して相対位置を変更可能なスライド壁部を有することを特徴とする請求項１に記載の挿入開口幅調整機構。
【請求項３】
前記スライド壁部は、前記第１壁材と第２壁材とが相対的にスライドする方向に直線状に形成されたガイド機構を備えることを特徴とする請求項２に記載の挿入開口幅調整機構。
【発明の詳細な説明】
【技術分野】
【０００１】
本発明は、挿入開口幅調整機構に関し、特に、ゴム手袋を負圧によって拡径させる手袋自動装着装置の挿入開口幅調整機構に関する。
【背景技術】
【０００２】
ラテックスゴムなどの密着性の高いゴム手袋を容易に装着できるようにする手袋自動装着装置が開発されている。この種の手袋自動装着装置では、ゴム手袋の周囲に負圧を供給することでゴム手袋を拡径させ、装着者が比較的容易にゴム手袋内に手を挿入させやすくして補助する。
このとき、ゴム手袋の手首部分の開口（以下、単に挿入口と呼ぶ）の周りを負圧箱の筒状の開口に装着する。この状態で負圧箱に負圧を供給すると、ゴム手袋の外部には負圧が供給され、ゴム手袋の内部は大気に開放されるので、ゴム手袋が風船のように拡径する。
【０００３】
ゴム手袋の挿入口を負圧箱における筒状の開口に装着させるため、特許文献１では、ゴム手袋の挿入口にリング状部材の補助具を装着したカートリッジ体として提供している。ゴム手袋が拡径されるとしても、装着者が手を挿入する必要があるから、リング状部材自体は大きな口径となっている。
一方、特許文献２においても、ゴム手袋の挿入口を取り付けるための同様のリング状部材の補助具を使用している。このリング状部材は複数の筒を輪状に連結したものであり、装着後は外すことができる。
【先行技術文献】
【特許文献】
【０００４】
【特許文献１】国際公開２００８−０３８４３８号公報
【特許文献２】特開昭５３−６３７８９号公報
【発明の概要】
【発明が解決しようとする課題】
【０００５】
従来のものは、いずれもリング状の部材が予め供給されているので、使用者がゴム手袋の挿入口を開いて負圧箱に装着する必要はない。ゴム手袋の挿入口を拡径させるのは、実際には困難さを伴う。ゴム手袋は密着性が高いことが要求されるので、押し広げるのに力を伴うからである。うまく広げられない場合は負圧箱へ装着しても開口での気密性を低下させる要因となり、結果として自動装着は難しくなる。これを回避するためにリング状部材が使用されるが、容易に手を挿入できるようにしておくため、リング状部材を大きくしておかないといけない。本来であれば薄くかさを取らないゴム手袋であるにもかかわらず、保管に場所を取るし、このための専用品を使わざるを得なくなる。また、何かの原因で外れてしまえば、装着できなくなる。
【０００６】
本発明は、リング状部材を必要としない挿入開口幅調整機構を提供する。
【課題を解決するための手段】
【０００７】
本発明は、開口より手を挿入可能な空間を有する筒体状に形成され、内部でゴム手袋を負圧によって拡径させる筺体部と、この筺体部の前記開口と一体あるいは気密的に連通する筒体状に形成され、開口幅の狭い縮径状態と開口幅の広い拡径状態とに変化する開口幅調整機構とを備え、前記開口幅調整機構は、第１壁材と第２壁材とによって筒体状に形成されており、これらの第１壁材と第２壁材の相対位置を変化可能であり、前記筺体部の開口に一体あるいは気密的に連通して拡径状態の筒形状を形成する基部を備え、前記第１壁材は同基部と一体的に形成され、前記第２壁材は同基部に対してスライド可能に装着され、前記第２壁材を、拡径状態の位置から縮径状態へ戻ることを禁止させる第１の係止機構と、前記第２壁材を、拡径状態の位置に至る過程で前記基部の縁部から浮いて離れないように同基部の縁部に対してスライド可能に係止させる第２係止機構とを備えた構成としてある。
前記構成において、筺体部は開口より手を挿入可能な空間を有する筒体状に形成されている。開口幅調整機構は、この筺体部の前記開口と一体あるいは気密的に連通する筒体状に形成されている。筒体は、開口幅の狭い縮径状態と開口幅の広い拡径状態とに変化する。開口幅の狭い縮径状態では、ゴム手袋の挿入口を筒体に被せるのは比較的容易である。筒体に被せたら、開口幅調整機構を開口幅の広い拡径状態とすると、ゴム手袋の挿入口は広がる。この後、筺体部の内部に負圧を発生させれば、ゴム手袋は拡径される。
【０００８】
また、それぞれ独立した第１壁材と第２壁材とによって筒体状に形成されているので、第１壁材と第２壁材の相対位置が変化すると筒体は開口幅の狭い縮径状態となり、また、開口幅の広い拡径状態となる。
【０００９】
さらに、本発明の他の態様として、前記第１壁材と第２壁材は、互いに重なり合って壁面を形成し、摺動して相対位置を変更可能なスライド壁部を有する構成としても良い。
前記構成において、第１壁材と第２壁材の一部がスライド壁部となっており、スライド壁部が互いに重なり合って摺動することで、第１壁材と第２壁材とは相対位置が変化し、開口の大きさを拡径状態としたり、縮径状態とすることができる。
【発明の効果】
【００１０】
筒体状とした開口幅調整機構は、開口幅の狭い縮径状態と開口幅の広い拡径状態とに変化し、ゴム手袋の挿入口は容易に広げることができる。ゴム手袋を広げる力は依然として大きいが、ゴム手袋の挿入口を指で直に広げるのは非常に困難である。ゴム手袋の挿入口の縁部は肉厚としてあるが、この縁部以外はとても薄い。手先で把持して広げようとする際、指先が縁部以外に食い込むと思うように延びないからである。
本発明によれば、リング状の部品を装着していないゴム手袋も容易に装着できるようになる。
【図面の簡単な説明】
【００１１】
【図１】縮径状態における手袋自動装着装置の全体斜視図である。
【図２】手袋自動装着装置の側面図である。
【図３】拡径状態における手袋自動装着装置の全体斜視図である。
【図４】手袋自動装着装置の構成図である。
【図５】挿入開口幅調整機構におけるスライド壁部の機構を示す部分斜視図である。
【図６】挿入開口幅調整機構における第１の係止機構を示す部分断面図である。
【図７】挿入開口幅調整機構における第１の係止機構を示す部分断面図である。
【図８】挿入開口幅調整機構における第２の係止機構の一部を示す平面図である。
【図９】挿入開口幅調整機構における第２の係止機構の係止状態を示す模式図である。
【図１０】挿入開口幅調整機構における第２の係止機構の係止状態を示す部分斜視図である。
【図１１】開口幅調整機構における開口端部の部分斜視図である。
【図１２】開口幅調整機構における開口端部の部分断面図である。
【図１３】手袋自動装着装置における抜け止め部位を示す概略断面図である。
【図１４】手袋自動装着装置における使用方法を示す平面図である。
【図１５】手袋自動装着装置における使用方法を示す平面図である。
【図１６】手袋自動装着装置における使用方法を示す平面図である。
【図１７】手袋自動装着装置における使用方法を示す平面図である。
【図１８】手袋自動装着装置における使用方法を示す平面図である。
【発明を実施するための形態】
【００１２】
以下、図面にもとづいて本発明の実施形態を説明する。
図１は、本発明の挿入開口幅調整機構が適用される手袋自動装着装置の縮径状態における全体斜視図であり、図２は、手袋自動装着装置の側面図である。また、図３は、拡径状態における手袋自動装着装置の全体斜視図であり、図４は、手袋自動装着装置の構成図である。箱形のベース部１０の上に、装着箱２０が傾動可能に載置されている。ベース部１０内には、負圧を発生させるための吸引ポンプＰなどが収容されており、装着箱２０はベース部１０の側壁における奥側寄りの上方側に対して回転可能に軸支されている。この結果、装着箱２０の前端側は上方および下方に回動可能であり、下方側に回動した状態ではほぼ水平（約０度）となり、上方側には約４５度付近まで回動可能となる。これにより、装着者がかざす手の角度に対応可能となっている。
【００１３】
装着箱２０は、薄箱状に形成された筺体部３０と、外筒部材５０とを備えている。外筒部材５０は、筺体部３０を前後方向に所定範囲でスライド可能に支持しており、一部がベース部１０の側壁に沿って下方に延設されて上述したように同ベース部１０に回転可能に軸支されている。スライド可能に支持する構成については、後述する。
筺体部３０は、薄箱状であり、一方にのみ開口を有する。開口は長円形状であり、両端は半円筒形状となっており、中程は平行な側壁を備えている。筺体部３０の内部は開口より手を挿入可能な空間を形成する中空となった有底の筒体状に形成され、奥方の壁面にはベース部１０の吸引ユニットに連通する図示しない貫通孔を形成してある。吸引ポンプＰをスイッチＳＷでオンにさせて負圧を供給したときには内部でゴム手袋を同負圧によって拡径させる。なお、内周壁面には編み目様の溝を縦横に形成してある。
筺体部３０の開口と気密的に接続してあるのが挿入開口幅調整機構４０であり、この挿入開口幅調整機構４０は、開口幅の狭い縮径状態と開口幅の広い拡径状態とに変化する。
【００１４】
挿入開口幅調整機構４０は、筒状のスライダー４１を備えている。スライダー４１は、筺体部３０と接続する部分でその開口とほぼ同じ開口形状となっており、この開口端の形状は変化しない。一方、その反対側の開口端には拡張子４２が備えられており、この拡張子４２の位置が変化して縮径状態と拡径状態とを形成する。拡径状態というのは、拡張子４２が装着されていない側の開口端とほぼ同じ開口となる状態であり、縮径状態というのは、拡張子４２が装着されていない側の開口端よりも幅狭の開口となる状態である。スライダー４１における筺体部３０の開口とほぼ同じ開口形状となっている部分を基部４３と呼ぶ。
【００１５】
スライダー４１は、第１壁材に相当し、拡張子４２は、第２壁材とに相当し、両者によって本挿入開口幅調整機構４０を筒体状に形成している。拡張子４２が移動することにより、第１壁材と第２壁材の相対位置が変化することになる。本実施例では、基部４３により、筺体部３０の開口に一体あるいは気密的に連通して拡径状態の筒形状を形成している。また、第１壁材は同基部４３と一体的に形成され、第２壁材は基部４３に対してスライド可能に装着されている。この結果、第１壁材は筺体部３０に対して相対的に固定され、第２壁材は筺体部３０に対して相対的に変移可能に装着されている。
【００１６】
スライダー４１と拡張子４２は、筐体部３０と同様に、開口の両端で半円筒形状を形成し、中程は平行な二つの側壁を形成する。この二つの側壁の部分ではスライダー４１の側壁部分と拡張子４２の側壁部分とが重なり合って壁面を形成しており、スライダー４１と拡張子４２が相対的に移動する際、互いに重なり合って壁面を形成している部分が摺動しながら移動する。なお、この重なり合っている部分をそれぞれのスライド壁部４１ａ，４２ａと呼んでいる。
【００１７】
図５は、挿入開口幅調整機構４０におけるスライド壁部の機構を示す部分斜視図である。
このスライド壁部４１ａ，４２ａは互いに対面する部位にて摺動可能に密接するが、相互に移動する方向に沿って両方の相対する壁面内の同位置に同寸法の凹状の溝４１ａ１が設けられ、その間に形成される空間に案内板４２a１が若干の隙間を維持して挿入されている。これにより、ほぼ密接状態でスライド壁部４１ａ，４２ａは摺動可能となっている。拡張子４２がスライダー４１に対して移動するときの直線移動のコースを保持し、後述するようにゴム手袋を装着するときにも拡張子４２がぶれないように支持することができる。スライド壁部４１ａ，４２ａの溝４１ａ１と案内板４２ａ１は、第１壁材と第２壁材とが相対的にスライドする方向に直線状に形成された凹凸のガイド機構に相当する。また、拡張子４２が安定したスライドが出来るよう案内板４２a１がスライド壁部４１ａ，４２ａの両方の溝４１ａ１に掛かる案内板４２a１の長さを均等にさせる為、案内板４２a１には長穴４１a２を設けスライド壁部４２側の溝４１ａ１の部分にねじ４１a３を装着し、同時に案内板４２a１が溝４１ａ１の内部でスライドしても溝４１ａ１から抜け落ちないようにしている。
【００１８】
なお、この例では、拡張子４２の側のスライド壁部４２ａが開口の内周面側に位置し、スライダー４１のスライド壁部４１ａが外周面側に位置しているが、逆であっても良い。また、スライダー４１と拡張子４２のそれぞれにおける二つの側壁の一方で内周面側となり他方で外周面側となるようにしてもよい。さらに、側壁は二枚の板状のスライド壁部４１ａ，４２ａを重ねることで構成しているが、負圧に耐える蛇腹のような形状とすることも可能である。
【００１９】
図６と図７は、挿入開口幅調整機構４０における第１の係止機構を示す部分断面図である。同図は、図１における７−７矢視断面図である。
拡張子４２における半円筒を形成する部位では壁材の内部に筐体部３０の奥行き方向にほぼ一致する貫通穴４２ｂを形成してあり、同貫通穴４２ｂ内には、テーパー付ストッパシリンダ４５ａと、スプリング４５ｂとが収容され、さらにテーパー付ストッパシリンダ４５ａは、拡張子４２の外周面に連通する長穴４２ｃを介して操作子４５ｃとネジ４５ｄにて連結されている。貫通穴４２ｂ内では手前側を密閉してあり、密閉側にスプリング４５ｂを収容しているので、同スプリング４５ｂがテーパー付ストッパシリンダ４５ａを押し出す方向に付勢している。
【００２０】
しかし、テーパー付ストッパシリンダ４５ａに連結するネジ４５ｄは長穴４２ｃの長さの範囲でのみ移動できるので、テーパー付ストッパシリンダ４５ａは貫通穴４２ｂから完全に押し出されてしまうことはなく、図６に示すように先端だけが突出し、残りの部分が貫通穴４２ｂ内に常に保持される状態となっている。また、図７に示すように長穴４２ｃの長さの範囲でテーパー付ストッパシリンダ４５ａを貫通穴４２ｂ内に引き戻すことも可能となっている。係止を解除したい場合は、操作子４５ｃを操作してテーパー付ストッパシリンダ４５ａを貫通穴４２ｂ内に引き戻す。
【００２１】
テーパー付ストッパシリンダ４５ａの先端は傾斜面となっており、この傾斜面は拡張子４２を拡径状態とするときに基部４３の側に形成したシリンダキー穴４３ａの手前に形成してある斜面４３ａ１に当接すると貫通穴４２ｂ内に押し込むように誘導する方向となっている。一旦、同斜面４３ａ１を乗り越えてシリンダキー穴４３ａに対面すると、スプリ
ング４５ｂの付勢力によってテーパー付ストッパシリンダ４５ａの先端はシリンダキー穴４３ａ内に入り込み、拡張子４２を基部４３に係止させることができる。拡張子４２と基部４３とが係止した状態では、拡張子４２である第２壁材が、拡径状態の位置から縮径状態へ戻ることを禁止させるので、第１の係止機構に相当する。
【００２２】
本実施例では、テーパー付ストッパシリンダ４５ａやシリンダキー穴４３ａを主な構造体として第１の係止機構を構成しているが、同様の機能は他の係止機構にて構成可能であることはいうまでもない。本実施例のように拡張子４２における半円筒の部位を肉厚として、この部分にテーパー付ストッパシリンダ４５ａを埋設した場合、後述するようにゴム手袋を拡径させるときにこの肉厚部位の内側に指をかけて押し広げることになるので、当該部分が肉厚となっていることで構造的に耐久力が上がるという効果がある。また、その反対側の外周面には操作子４５ｃが位置するので、装着し直すようなときに操作子４５ｃを操作して係止を解除するという操作もしやすいという効果がある。
【００２３】
図８は、挿入開口幅調整機構４０における第２の係止機構の一部を示す平面図であり、図９は、同第２の係止機構の係止状態を示す模式図であり、図１０は、同第２の係止機構の係止状態を示す部分斜視図である。
図８に示すように、拡張子４２から基部４３の内側に入り込むガイドプレート４２ｄが一部突出するように先端凸部４２ｄ２形成されている。ガイドプレート４２ｄは拡張子４２におけるスライド壁部４２ａから基部４３の内部に向かう方向に延設された後、拡張子４２が拡径状態に向かうスライド方向に向けて延設されている。結果として、ガイドプレート４２ｄは一部を除いて拡張子４２と所定間隔だけ隔てて平行に延びるような形状となっている。ガイドプレート４２ｄと拡張子４２との間に形成される隙間部分をスリット４２ｄ１と呼ぶ。
【００２４】
一方、基部４３の内壁においては、図９と図１０に示すように、前記スリット４２ｄ１に対応する位置に基部側ガイドプレート嵌合凹部４３ｂを形成してある。基部側ガイドプレート嵌合凹部４３ｂは基部４３での開口面と平行な位置関係となっている。拡張子４２が拡径状態に移動するときにガイドプレート４２ｄが移動すると、同ガイドプレート４２ｄの先端凸部４２ｄ２は基部側ガイドプレート嵌合凹部４３ｂの奥側に入り込んでいき、結果として、係止状態となる。
【００２５】
ゴム手袋を拡張子４２（スライダ４１）に装着したとき、拡張子４２が形成する挿入開口幅調整機構４０の開口端を狭めようとする力が作用するが、この力は、拡張子４２を回転させ、同拡張子４２と基部４３との対面部位が浮いてしまうように作用する。この部分が開くと負圧が漏れることになり、避けなければならない。ガイドプレート４２ｄの先端凸部４２ｄ２が基部側ガイドプレート嵌合凹部４３ｂに入り込んで係止状態となると、拡張子４２と基部４３との対面部位が浮いてしまわないようにしっかりと保持することができる。ガイドプレート４２ｄの先端凸部４２ｄ２と基部側ガイドプレート嵌合凹部４３ｂの嵌合により、拡張子４２が拡径状態の位置に至る過程で基部４３の縁部から浮いて離れないように同基部４３の縁部に対してスライド可能に係止させる第２係止機構を構成している。
【００２６】
ガイドプレート４２ｄのように板片を基部４３内に延設せしめて係止させる構造の場合、簡易な構造で大きな力に耐えられる係止機構となる。むろん、この例以外にも、拡張子４２と基部４３との接続部分で一方が他方に入り込む凹凸の溝のような構成とすることも可能である。
【００２７】
図１１と図１２は、挿入開口幅調整機構４０における開口端部の部分斜視図であり、図１３は、手袋自動装着装置における抜け止め部位を示す概略断面図である。
ゴム手袋の挿入口の端部は風船の口のように厚く形成されている。この挿入口の端部をやや広げた状態で挿入開口幅調整機構４０の開口端に被せる。しかし、後述するように負圧が供給され始める初期時点でゴム手袋は筐体部３０の内側にやや引き込まれるため、ゴム手袋の挿入口の端部が外れる可能性がある。このため、図１１〜図１３に示すように、スライダー４１の半円筒の壁面を形成する部位の外周面には、開口端に近い部位に沿って凹部となる溝４１ｂを形成してある。このようにすると、ゴム手袋の挿入口をやや広げて被せるときに、厚く形成した部位が溝４１ｂに入り込んで食い込むため、ゴム手袋が筐体部３０の内側に引き込まれようとする力に抗することができる。なお、図示していないが、拡張子４２の側も同様の構成としてある。
【００２８】
この溝４１ｂは、開口端の全周にあっても良いが、本実施例に示すように、半円筒の湾曲した外周面にだけ形成しても十分に有効に作用する。その他の部位は平行な壁面を形成しているので、ゴム手袋の挿入口を縮めようとする力が半円筒の湾曲した外周面に集中しやすいからである。また、溝４１ｂとしているが、凹形状ではなく、凸形状とすることでも、抜け止めには有効である。このように、第１壁材と第２壁材は、筒形状の外周面を形成する湾曲外周面を形成されており、この湾曲外周面における開口端寄りの位置には、開口端に対して凹または凸となる抜け止め部位を形成されている。なお、凸形状とするときには外筒部材５０と干渉しないように、外筒部材５０の側に凹みを形成しておけばよい。
【００２９】
開口端に被せられたゴム手袋の挿入口は、使用者が装着後、挿入開口幅調整機構４０から外れる必要がある。図１２は、前記溝４１ｂが形成されている近辺のスライダー４１の端部と、外筒部材５０の端部を示している。外筒部材５０は、筺体部３０を前後方向に所定範囲でスライド可能に支持しており、筺体部３０が外筒部材５０に支持された状態で奥行き方向にスライドすると、筺体部３０の一部となるスライダー４１と拡張子４２は外筒部材５０の開口端よりも奥側まで移動可能となっている。
【００３０】
外筒部材５０は、スライダー４１の開口端部の外周面と摺接する内周壁面を有しており、図１５に示すように、筺体部３０を奥行き方向にスライドさせたときに、スライダー４１と拡張子４２の開口端部の外周面は、当該外筒部材５０の内周壁面の開口端部の位置あるいはそれよりも奥側に入り込む位置へ至る。すると、スライダー４１と拡張子４２の開口端に被せられたゴム手袋の挿入口は、外筒部材５０の開口端部によってスライダー４１と拡張子４２の外周面上を押し出され、最後にはスライダー４１と拡張子４２の開口端から外れる。
【００３１】
このとき、図１２に示すように、外筒部材５０の開口端部の内周面と、スライダー４１と拡張子４２の外周面とは単なる半円筒の形状ではなく、外筒部材５０の側の内周面には突起５１が形成され、この突起５１に対応するようにスライダー４１の外周面には溝４１ｃが形成されている。突起５１は、溝４１ｃに入り込んだ状態であり、この状態で筺体部３０を外筒部材の奥行き方向にスライドさせると、突起５１が溝４１ｃに入り込んだまま移動する。ゴム手袋の挿入口をスライダー４１の開口端に被せたとき、一部は溝４１ｃを跨ぐように張られることになり、突起５１は溝４１ｃの底部分まであり、ゴム手袋の厚み方向に横切る状態となる。また溝４１bは溝４１ｃより浅い溝である。この結果、ゴム手袋の端部は同突起５１にて確実に押し出され、最後にはゴム手袋はスライダー４１と拡張子４２の開口端から外される。
【００３２】
図１４〜図１８は、手袋自動装着装置における使用方法を示す平面図である。図１４〜
図１８は、筺体部３０と挿入開口幅調整機構４０だけを簡略的に示している。
まず、図１４に示すように、挿入開口幅調整機構４０は縮径状態としておく。操作子４５ｃにてテーパー付ストッパシリンダ４５ａをシリンダキー穴４３ａから外す操作を行い、最も小さな状態とする縮径状態とさせる。
【００３３】
この状態でゴム手袋の挿入口を手で広げ、挿入開口幅調整機構４０の開口端の外周面に被せる。開口幅は最も小さくなっているので、ゴム手袋の挿入口を広げるときに大きな力は必要とならない。また、厚く形成した部位が溝４１ｂに入り込んで食い込むため、ゴム手袋がずれることもない。
次に、図１５に示すように、ゴム手袋を装着した状態で、拡張子４２を拡径方向に広げる。ゴム手袋の挿入口を押し広げる力は従前と変わらないものの親指でスライドさせる為数段力が掛けやすく楽にスライダー４１と拡張子４２の開口端部に被せられた状態で、ゴム手袋の挿入口の厚い部分を均等に押し広げることになり、作業が格段にしやすくなる。
【００３４】
そのまま、図１６に示すように、拡張子４２を最後まで押し広げると、テーパー付ストッパシリンダ４５ａはシリンダキー穴４３ａに入り込んで係止する。すると、拡張子４２から手を離しても拡張子４２は拡径状態の位置で静止したままとなる。
次に、スイッチＳＷをオンにして負圧ポンプＰを作動させると、筐体部３０内に負圧が発生する。負圧よりも気圧の大きい大気圧により、図１７に示すように、ゴム手袋は筐体部３０内に引き込まれ、表裏が反対となるとともに拡径される。この状態でゴム手袋の装着者は筐体部３０内に手の先を入れていき、容易にゴム手袋の奥深くへと手を挿入できる。
【００３５】
装着者がゴム手袋の奥まで手を入れて、さらに奥へと押しつけると、筐体部３０が外筒部材５０に支持されたままスライドし、上述したようにゴム手袋の挿入口の端部を外筒部材５０の突起５１が挿入開口幅調整機構４０に被せてあるゴム手袋の端部を押し出して外す。外れたら、負圧ポンプのスイッチＳＷをオフにするが、この操作は装着者が行っても良いし、筐体部３０のスライド動作に同期してスイッチＳＷをオフに操作するようにしても良い。
【００３６】
ゴム手袋が装着された手を筺体部３０から引き出し、操作子４５ｃにてテーパー付ストッパシリンダ４５ａをシリンダキー穴４３ａから外す操作を行えば、手動で最初の状態に戻る。このように、本実施例によれば、筺体部３０の開口端に挿入開口幅調整機構４０を備えており、長円の開口端をスライダー４１と拡張子４２によって形成し、かつ、固定のスライダー４１に対して拡張子４２をスライド移動可能とすることで、開口幅が小さな縮径状態と開口幅を大きくした拡径状態とすることができ、最初に縮径状態としてゴム手袋の挿入口を被せ、その後、拡張子４２をスライドさせて拡径状態とするようにしたので、拡張子４２によって無駄な力を必要とすることなく、安定した状態でゴム手袋の挿入口を広げることができるようになった。
【００３７】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００３８】
１０…ベース部、２０…装着箱、３０…筐体部、４０…開口幅調整機構、４１…スライダー、４１ａ…スライド壁部、４１ａ１…溝、４１ａ２…長穴、４１ａ３…案内板抜け止めネジ、４１ｂ…溝、４１ｃ…溝、４２…拡張子、４２ａ…スライド壁部、４２ａ１…案内板、４２ｂ…貫通穴、４２ｃ…長穴、４２ｄ…ガイドプレート、４２ｄ１…スリット、
４２ｄ２…ガイドプレート先端凸部、４３…基部、４３ａ…シリンダキー穴、４３ａ１…斜面、４３ｂ…基部側ガイドプレート嵌合凹部、４５ａ…テーパー付ストッパシリンダ、４５ｂ…スプリング、４５ｃ…操作子、４５ｄ…ネジ、５０…外筒部材、５１…突起。
【図１】
0006363655.tif 000002
【図２】
0006363655.tif 000003
【図３】
0006363655.tif 000004
【図４】
0006363655.tif 000005
【図５】
0006363655.tif 000006
【図６】
0006363655.tif 000007
【図７】
0006363655.tif 000008
【図８】
0006363655.tif 000009
【図９】
0006363655.tif 000010
【図１０】
0006363655.tif 000011
【図１１】
0006363655.tif 000012
【図１２】
0006363655.tif 000013
【図１３】
0006363655.tif 000014
【図１４】
0006363655.tif 000015
【図１５】
0006363655.tif 000016
【図１６】
0006363655.tif 000017
【図１７】
0006363655.tif 000018
【図１８】
0006363655.tif 000019